(57)【要約】【課題】複数のピースを組合せることにより、平面的な所定形状を複数パターン形成可能なパズル玩具であって、ゲーム性が高く、各ピースの形状について、設定の手間が少ないパズル玩具を提供することを課題とする。【解決手段】複数の直線によって囲まれた平面形状を有するピース２を複数備え、該複数のピース２は、平面的な基本形状Ｂが、一直線状に延びる複数の切断線Ｌ１，Ｌ２，Ｌ３，Ｌ４によって切断されることにより形成される複数の分割片の形状をそれぞれ有し、上記基本形状Ｂは、横方向に長い長方形をなす底部Ｂ１と、該底部Ｂ１から垂直方向一方側に突出する３つの突出部Ｂ２，Ｂ３，Ｂ４とを組合せてなる山の字形状であり、上記切断線Ｌ１，Ｌ２，Ｌ３，Ｌ４の少なくとも１つは、底部及び突出部に対して斜め方向に延びる直線である。【選択図】図２
0003203745.tif 000002
【実用新案登録請求の範囲】
【請求項１】
複数のピースを組合せることにより、平面的な所定形状を複数パターン形成可能なパズル玩具であって、
複数の直線によって囲まれた平面形状を有するピースを複数備え、
該複数のピースは、平面的な基本形状が、一直線状に延びる複数の切断線によって切断されることにより形成される複数の分割片の形状をそれぞれ有し、
上記基本形状は、横方向に長い長方形をなす底部と、該底部から垂直方向一方側に突出する３つの突出部とを組合せてなる山の字形状であり、
上記切断線の少なくとも１つは、底部及び突出部に対して斜め方向に延びる直線である
ことを特徴とするパズル玩具。
【請求項２】
前記斜め方向の切断線が、底部及び突出部に対して、４５度傾いた直線である
請求項１に記載のパズル玩具。
【請求項３】
上記基本形状は、横方向又は縦方向に一直線状に延びる切断線によっても分断される
請求項１又は２の何れかに記載のパズル玩具。
【請求項４】
前記縦方向に一直線状に延びる切断線が突出部に平行な直線であり、前記横方向に一直線状に延びる切断線が、底部に対して、平行な直線である
請求項３に記載のパズル玩具。
【請求項５】
複数のピース全てを組合せて、正方形を２つ並べた長方形の平面形状、或いは直角二等辺三角形の平面形状を形成することが可能なように、各ピースを形成した
請求項１乃至４の何れかに記載のパズル玩具。
【請求項６】
前記底部が、正方形を４つ横方向に一直線状に並べた形状であり、
前記３つの突出部の内、山の字の両端に位置する一対のサイド突出部が、上記正方形と同一形状であるとともに、
前記３つの突出部の内、山の字の中央に位置するセンター突出部が、上記正方形を２つ縦方向に一直線状に並べた形状であって且つ左右位置が底部の真中に配置された
請求項１乃至６の何れかに記載のパズル玩具。
【請求項７】
前記切断線として、
前記山の字状の基本形状における一方のサイド突出部の突出端外側の角隅から底部に向かって斜め４５度内側に傾斜した第１切断線と、
該第１切断線と平行であって且つセンター突出部における底部側端の上記第１切断線から遠い側の隅を通過する第２切断線との少なくとも２つが用いられる
請求項６に記載におパズル玩具。
【請求項８】
前記切断線として、さらに、底部と平行であって且つ前記センター突出部の上部側１／４を切断する第３切断線を用いる
請求項７に記載のパズル玩具。
【考案の詳細な説明】
【技術分野】
【０００１】
この考案は、複数のピースを組合せることにより、平面的な所定形状を複数パターン形成可能なパズル玩具に関する。
【背景技術】
【０００２】
複数のピースを組合せることにより、平面的な所定形状を複数パターン形成可能なパズル玩具が公知になっている（例えば、特許文献１を参照）。
【先行技術文献】
【特許文献】
【０００３】
【特許文献１】特開平１０−１７９９２９号公報
【考案の概要】
【考案が解決しようとする課題】
【０００４】
上記文献のパズル玩具は、各ピースの位置や向きや表裏を変更することにより、様々な複雑な形にできるため、完成までの難易度が高く、ゲーム性が高いというメリットがある一方で、複数のピースによって複雑な様々な形状を再現させるために、各ピースの形状をどのように設定するかについて、試行錯誤する必要があり、手間が掛かる。
【０００５】
本考案は、複数のピースを組合せることにより、平面的な所定形状を複数パターン形成可能なパズル玩具であって、ゲーム性が高く、各ピースの形状について、設定の手間が少ないパズル玩具を提供することを課題とする。
【課題を解決するための手段】
【０００６】
上記課題を解決するため、複数のピースを組合せることにより、平面的な所定形状を複数パターン形成可能なパズル玩具であって、複数の直線によって囲まれた平面形状を有するピースを複数備え、該複数のピースは、平面的な基本形状が、一直線状に延びる複数の切断線によって切断されることにより形成される複数の分割片の形状をそれぞれ有し、上記基本形状は、横方向に長い長方形をなす底部と、該底部から垂直方向一方側に突出する３つの突出部とを組合せてなる山の字形状であり、上記切断線の少なくとも１つは、底部及び突出部に対して斜め方向に延びる直線であることを特徴とする。
【０００７】
前記斜め方向の切断線が、底部及び突出部に対して、４５度傾いた直線であるものとしてもよい。
【０００８】
上記基本形状は、横方向又は縦方向に一直線状に延びる切断線によっても分断されるものとしてもよい。
【０００９】
前記縦方向に一直線状に延びる切断線が突出部に平行な直線であり、前記横方向に一直線状に延びる切断線が、底部に対して、平行な直線であるものとしてもよい。
【００１０】
複数のピース全てを組合せて、正方形を２つ並べた長方形の平面形状、或いは直角二等辺三角形の平面形状を形成することが可能なように、各ピースを形成したものとしてもよい。
【００１１】
前記底部が、正方形を４つ横方向に一直線状に並べた形状であり、前記３つの突出部の内、山の字の両端に位置する一対のサイド突出部が、上記正方形と同一形状であるとともに、前記３つの突出部の内、山の字の中央に位置するセンター突出部が、上記正方形を２つ縦方向に一直線状に並べた形状であって且つ左右位置が底部の真中に配置されたものとしてもよい。
【００１２】
前記切断線として、前記山の字状の基本形状における一方のサイド突出部の突出端外側の角隅から底部に向かって斜め４５度内側に傾斜した第１切断線と、該第１切断線と平行であって且つセンター突出部における底部側端の上記第１切断線から遠い側の隅を通過する第２切断線との少なくとも２つが用いられるものとしてもよい。
【００１３】
前記切断線として、さらに、底部と平行であって且つ前記センター突出部の上部側１／４を切断する第３切断線を用いるものとしてもよい。
【考案の効果】
【００１４】
山の字状の基本形状が、斜めの切断線を含む複数の切断線によって分割することにより形成された複数の分割片の形状を、ピースの形状としてそれぞれ採用することにより、設定の手間が低減され、また、これによって、種々の複雑な形状を再現可能なゲーム性の高いパズル玩具を提供可能になる。
【図面の簡単な説明】
【００１５】
【図１】本考案を適用したパズル玩具の構成を示す斜視図である。
【図２】基本形状の構成を説明する平面図である。
【図３】（Ａ）乃至（Ｆ）は、それぞれピースの形状を示す平面図である。
【図４】本バズル玩具のパターン形状の一例を、各ピースの状態も含めて示す平面図である。
【図５】（Ａ）乃至（Ｕ）は、それぞれパターン形状の一例を示す平面図である。
【考案を実施するための形態】
【００１６】
図１は、本考案を適用したパズル玩具の構成を示す斜視図である。図示するパズル玩具１は、板状に成形された木製の複数のピース（パズル片）２を備えている。表裏面を上下（厚み方向を上下方向）に向けた複数のピース２を、組合せ、互いの縁面同士を、接当させることにより、様々なパターンの平面的な形（以下、単に「形状」）であるパターン形状を形成できるように、各ピース２の形状が設計されている。
【００１７】
各ピース２は、複数の直線によって囲まれた形状を有し、この形状の設計によって、上記パターン形状の種類を多くし、且つ各パターン形状の形を複雑化させて、ゲーム性を向上させる。
【００１８】
なお、図示する例のバズル玩具１では、パターン形状を形成させるルールとして、複数のピース２全てを用いることを条件としているが、この条件は、必須の条件ではない。
【００１９】
図２は、基本形状の構成を説明する平面図である。所定の山の字状をなす基本形状Ｂを、複数の一直線状に延びる切断線Ｌ１，Ｌ２，Ｌ３によって分割し、この分割された複数の分割片の形状それぞれを、対応するピース２の形状として、採用している。
【００２０】
言換えると、上記基本形状Ｂは、上記パターン形状の１つであり、この基本形状Ｂに組合せられたパズル玩具１は、全体として、山の字形状をなし、上記分割線Ｌ１，Ｌ２，Ｌ３によって分割された分割片のそれぞれの形状が、対応する各ピース２の形状になる。
【００２１】
基本形状Ｂについて具体的に説明すると、この基本形状Ｂは、所定のサイズの正方形（第１正方形）ＳＱを横方向に４つ並べ連ねてなる底部Ｂ１と、該底部Ｂ１における一端部と中央部と他端部とからそれぞれ該底部Ｂ１に垂直な一方向（前側）に突出する３つの突出部Ｂ２，Ｂ３，Ｂ４とを有している。
【００２２】
３つの突出部Ｂ２，Ｂ３，Ｂ４の内、両サイドの突出部であるサイド突出部Ｂ２，Ｂ４は、上記第１正方形ＳＱによって構成され、中央の突出部であるセンター突出部Ｂ３は、上記第１正方形ＳＱを、上記垂直方向に２つ並べ連ねた形状を有している。
【００２３】
左右一対のサイド突出部Ｂ２，Ｂ４は、その外側端部の左右位置が、底部Ｂ１の左右の端部の左右位置とそれぞれ一致しているとともに、センター突出部Ｂ３の左右中心は、底部Ｂ１の左右方向中心と、その左右位置が一致している。
【００２４】
この１つの底部Ｂ１及び３つの突出部Ｂ２，Ｂ３，Ｂ４を一連に連ねて、一体の山の字状をなす基本形状が成形される。
【００２５】
続いて、切断線Ｌ１，Ｌ２，Ｌ３について説明すると、一の切断線Ｌ１は、一対のサイド突出部Ｂ２，Ｂ４の一方（図示する例では右側のサイド突出部Ｂ４）の突出端外側の角隅（図２における右上側の角隅）から底部Ｂ１（図２における下側）に向かって斜め４５度内側（図示する例では左側）に傾斜した第１切断線である。
【００２６】
また、その他の一の切断線Ｌ２は、第１切断線Ｌ１と平行な第２切断線であり、この第２切断線Ｌ２は、センター突出部Ｂ３の左右における該第１切断線Ｌ１から遠い側（図示する例では、左側）であって且つ底部Ｂ１側の端側に位置する隅部を通過し、且つセンター突出部Ｂ３から底部Ｂ１に至る範囲を分断する直線である。
【００２７】
また、残り１つの切断線Ｌ３は、底部Ｂ１に平行に横方向に一直線状に延びる第３切断線であり、この第３切断線Ｌ３は、センター突出部Ｂ３の突出端寄り１／４の部分を分断している。
【００２８】
この３つの切断線Ｌ１，Ｌ２，Ｌ３によって、基本形状Ｂを分割することにより得られる分割片の各形状が、対応する各ピース２の形状として採用される。
【００２９】
図３（Ａ）乃至（Ｆ）は、それぞれピースの形状を示す平面図である。同図（Ａ）に示すピース２は、第１切断線Ｌ１及び第２切断線Ｌ２によって分断され且つ底部Ｂ１及びセンター突出部Ｂ３の一部の範囲を占める第１ピース２Ａである。
【００３０】
同図（Ｂ）に示すピース２は、第１切断線Ｌ１によって分断され且つ底部Ｂ１及び一方のサイド突出部Ｂ４の一部の範囲を占める第２ピース２Ｂである。
【００３１】
同図（Ｃ）に示すピース２は、第１切断線Ｌ１によって分断され且つ該サイド突出部Ｂ４の一部の範囲を占める第３ピース２Ｃである。
【００３２】
同図（Ｄ）に示すピース２は、第２切断線Ｌ２によって分断され且つ底部Ｂ２及び他方のサイド突出部Ｂ２の一部の範囲を占める第４ピース２Ｄである。
【００３３】
同図（Ｅ）に示すピース２は、第２切断線Ｌ２及び第３切断線Ｌ３によって分断され且つセンター突出部Ｂ３の一部の範囲を占める第５ピース２Ｅである。
【００３４】
同図（Ｆ）に示すピース２は、第３切断線Ｌ３によって分断され且つセンター突出部Ｂ３の一部の範囲を占める第６ピース２Ｆである。
【００３５】
以上、図示する例では、６つのピース２によって、本パズル玩具１が構成されている。そして、この６つのピース２を全て用い、各ピース２の対応する縁同士を面状に接当させることより、図１に示す長方形や、図２に示す山の字形状にパズル玩具１を形成することが可能である。
【００３６】
ちなみに、図１に示す長方形に組合されたパズル玩具１は、４つの第１正方形ＳＱを１つにまとめた正方形である第２正方形ＳＱ´を、２つ並べて連接した形状を有している。
【００３７】
図４は、本バズル玩具のパターン形状の一例を、各ピースの状態も含めて示す平面図である。同図に示す通り、この全てのピース６を用いて、直角二等辺三角形を形成することも可能である。
【００３８】
図５（Ａ）乃至（Ｕ）は、それぞれパターン形状の一例を示す平面図である。さらに、全てにピース６を用いて、同図（Ａ）乃至（Ｕ）に示すような多種類の形状にパズル玩具１を組合せることが可能である。
【００３９】
以上のように構成されるパズル玩具１によれば、各ピース２の形状設計に過度な負担を掛けることなく、種々の複雑な形状を成形可能になり、ゲーム性の高い娯楽を、安価に提供することが可能になる。
【００４０】
また、パズル玩具１が図１に示すような長方形に組合せ可能であるため、一般的な箱等の容器に収容しておくことも容易になり、保存も容易になる。
【００４１】
なお、各ピース２は、木製である必要は必ずしもなく、金属製でもよいし、硬質な合成樹脂製であってもよい。
【００４２】
また、切断線は、追加・削除が可能であり、例えば、第３切断線Ｌ３を省略してもよい他、仮想線で示す切断線（第４切断線）Ｌ４を追加してもよい。この第４切断線Ｌ４は、第１切断線Ｌ１によって分割される側のサイド突出部Ｂ４の左右内側の縁に沿って平行に延びる直線である。
【００４３】
ちなみに、第３切断線Ｌ３を省略すれば、ピース６の数は５つになり、新たに第４切断線Ｌ４を加えれば、ピース６の数は７つになり、第３切断線Ｌ３を省略して第４切断線Ｌ４を加えれば、ピース６の数は６になる。
【符号の説明】
【００４４】
１  バズル玩具
２  ピース（バズル片）
２Ａ  第１ピース
２Ｂ  第２ピース
２Ｃ  第３ピース
２Ｄ  第４ピース
２Ｅ  第５ピース
２Ｆ  第６ピース
Ｂ  基本形状
Ｂ１  底部
Ｂ２  サイド突出部（突出部）
Ｂ３  センター突出部（突出部）
Ｂ４  サイド突出部（突出部）
Ｌ１  第１切断線（切断線）
Ｌ２  第２切断線（切断線）
Ｌ３  第３切断線（切断線）
Ｌ４  第４切断線（切断線）
【図１】
0003203745.tif 000003
【図２】
0003203745.tif 000004
【図３】
0003203745.tif 000005
【図４】
0003203745.tif 000006
【図５】
0003203745.tif 000007